(57)【要約】患者を支持するテーブルトップを有する手術台であって、前記テーブルトップの少なくとも1つのセクションが、Ｘ線透過プレートを支持する金属製支持体と、前記セクションに装着されて、前記セクションの上面全体および側面に沿って延びることにより、前記支持体およびプレート間の接合部を覆うカバー部材を有している手術台。【選択図】図１
2004522495.tif 000002
【特許請求の範囲】
【請求項１】
患者を支持するテーブルトップを有し、前記テーブルトップの少なくとも1つのセクションが、Ｘ線透過プレートを支持する金属製支持体と、前記少なくとも１つのセクションに装着されて、前記セクションの上面および側面に沿って延びることにより、前記支持体およびプレートの接合部を覆う型成形されたカバー部材とを有している手術台。
【請求項２】
請求項１において、前記カバー部材がプラスチック材からなる手術台。
【請求項３】
請求項２において、前記プラスチック材がアクリルである手術台。
【請求項４】
請求項１〜３のいずれかにおいて、前記カバー部材が真空成形されている手術台。
【請求項５】
請求項１〜４のいずれかにおいて、前記カバー部材が型成形による一体成形品であり、平坦な中心プレートと、その全側面上を下方に延びる周壁とを有する手術台。
【請求項６】
請求項５において、前記周壁の下端に、内方に突出するリップが設けられている手術台。
【請求項７】
請求項６において、前記カバー部材の形状およびサイズが、前記中心プレートが前記セクション上面全体に延び、前記周壁が前記セクションの外側を下方に延び、さらに前記リップが前記セクションの下部に係合する形状およびサイズである手術台。
【請求項８】
請求項５〜７のいずれかにおいて、前記周壁は、前記カバー部材を装着する際、前記セクション上で外方に変形可能であり、前記リップがカバー部材を正しい位置に保持する手術台。
【請求項９】
請求項１〜８のいずれかにおいて、前記金属製支持体が、互いに平行に延びる２つの剛体の側部ストラットを含み、前記Ｘ線透過プレートが剛体であり、前記ストラットの上面に置かれることにより前記支持体上で支持されている手術台。
【請求項１０】
請求項９において、前記Ｘ線透過プレートが、その透過プレートに形成された孔を通り、前記ストラットに形成されたねじ孔に螺合するねじ体により前記ストラットに固定されている手術台。
【請求項１１】
請求項１〜１０のいずれかにおいて、さらに、前記カバー部材の上面に置かれたマットレスを備えている手術台。
【請求項１２】
請求項１〜１１のいずれかにおいて、前記テーブルトップは、頭部セクションと、上部胴体セクションと、下部胴体セクションと、脚部セクションとからなる４つのセクションに分割されており、各セクションが、それぞれのセクションに適合するように形成されたカバー部材を有している手術台。
【請求項１３】
手術台の患者を支持するテーブルトップのセクションに装着する型成形されたカバー部材であって、
前記カバー部材が、一体成形されたプラスチック材であり、平坦な中心プレートと、該カバー部材の全側面上を下方に延びる周壁と、前記周壁の下端で内方に突出するリップとを有しているカバー部材。
【請求項１４】
請求項１３において、前記カバー部材を前記セクションに装着する際、前記周壁が外方に変形可能に設定されたカバー部材。
【請求項１５】
請求項１３または１４において、前記プラスチック材がアクリルであるカバー部材。
【請求項１６】
請求項１３〜１５のいずれかにおいて、前記カバー部材が真空成形されているカバー部材。
【発明の詳細な説明】
【技術分野】
【０００１】
本発明は手術台に関する。
【背景技術】
【０００２】
手術台は、コラム（架台）の上端に取り付けられたテーブルトップを有し、そのテーブルトップの高さは調整可能である。手術台は一般に、テーブルトップの角度を調整するための特定の機構を有している。テーブルトップは一般にいくつかの分離したセクションに分割され、セクション間の相対的角度は変化させることができる。テーブルトップは、体重の大きな患者を保持し、かつ強い力が作用する可能性のある手術の間は安定している必要があるため、構造的な強度が要求される。さらに、Ｘ線検査をその場所で実施するために、テーブルトップはＸ線が透過できるものでなければならない。これらの理由のため、テーブルトップは通常、金属製支持体と、その支持体に固定されたプラスチックまたは他のＸ線透過材からなるプレートとを有する。Ｘ線診察は、患者がプレート上に支持されている状態で実施される。このような手術台のテーブルトップに伴う1つの問題点は、プレートと支持体との間の接合部が汚染の堆積箇所となり、清浄化するのが困難なことである。
【発明の開示】
【発明が解決しようとする課題】
【０００３】
本発明の目的は、代替の手術台を提供することである
【課題を解決するための手段】
【０００４】
本発明の1つの構成によれば、患者を支持するテーブルトップを有し、そのテーブルトップの少なくとも1つのセクションが、Ｘ線透過プレートを支持する金属製支持体と、該１つのセクションに装着されて、そのセクションの上面および側面に沿って延びることにより、支持体とプレートとの接合部を覆う成形されたカバー部材とを有している手術台が提供される。
【０００５】
カバー部材は、アクリルのようなプラスチック材で製作するのが望ましく、真空成形してもよい。
【０００６】
本発明の別の構成によれば、前述の本発明の構成による手術台用のカバー部材を提供する。
【０００７】
次に、添付図面を参照しながら本発明による手術台およびそのカバー部材を説明する。
【発明を実施するための最良の形態】
【０００８】
図１によれば、手術台は、床上に置くベース１と、そのベースに取り付けられた高さ調整できるコラム２と、患者支持面４を有するテーブルトップ３とを備える。
【０００９】
テーブルトップ３は４つのセクション、すなわち頭部セクション３１、上部胴体セクション３２、下部胴体セクション３３、および脚部セクション３４に分割されている。セクション３１〜３４は従来のピボット継手（図示なし）上に支持されており、コラム２に対する各セクションの角度およびセクション間の相対的角度は、従来のアクチュエータ（図示なし）を用いて調整される。
【００１０】
各セクションの構造は同一であるため、図２を参照して、脚部セクション３４のみを説明する。セクション３４は金属、例えば鋼からなる支持体４０を有し、その支持体４０は互いに平行に延びる正方形断面の２つの剛体の側部ストラット（支柱）４１および４２を有する。Ｘ線透過プラスチック材からなる剛体プレート４３は、ストラット４１および４２上面に置かれて支持体４０上で支持され、プレートに形成された孔４５を通り、ストラットに形成されたねじ孔４６に螺合するねじ体４４によりストラットに固定される。ストラット４１，４２とプレート４３間の接合部、およびねじ孔４５，４６は、汚染の堆積する可能性のある場所となり、清浄化が困難である。
【００１１】
セクション３４はまた、アクリルのような比較的薄いプラスチック材から真空成形されるカバー部材５０を含む。カバー５０は、平坦な中心プレート５１と、４つの側面上を下方に延びる周壁５２とを有する矩形状のものである。周壁５２の下端には、幅の狭い、内方に突出するリップ５３が設けられている。カバー５０の形状およびサイズは、そのプレート５１がセクション３４上面全体に延び、周壁５２がストラット４１および４２の外側を下方に延び、さらにリップ５３がストラット下部に係合する形状およびサイズである。したがって、カバー５０は、ねじ孔４５，４６と、支持体４０およびプレート４３間の接合部とを覆う。カバー５０は構造的な支持体を提供するものではなく、比較的薄いため、カバー５０を装着する際には、その周壁５２をストラット４１および４２上で外方に変形させることができ、リップ５３がカバー５０を正しい位置に保持するのに役立っている。カバー５０は形成形により一体成形されているため、カバー上面と側面の汚染を容易に除去することができる。
【００１２】
セクション３４は、カバー５０の上面に従来のマットレス６０を置くことにより完成する。
【００１３】
４つのセクション３１〜３４は、それぞれのセクションに適合するように形成された同様のカバー５０を有することが望ましいが、場合によっては、最も汚染に曝されるセクションのみにカバーを設けることが必要とされることもある。カバーは低コストで実現できるため、カバーが損傷を受けたときは、手術台の他の部品を交換することなく交換できる。
【図面の簡単な説明】
【００１４】
【図１】手術台の斜視図である。
【図２】図１のＩＩ−ＩＩ線に沿った横断面図である。
【符号の説明】
【００１５】
１  ベース
２  コラム
３  テーブルトップ
４  患者支持面
３１〜３４  テーブルトップ・セクション
５０  カバー
６０  マットレス
【図１】
2004522495.tif 000003
【図２】
2004522495.tif 000004
【国際公開パンフレット】
2004522495.tif 000005
2004522495.tif 000006
2004522495.tif 000007
2004522495.tif 000008
2004522495.tif 000009
2004522495.tif 000010
2004522495.tif 000011
【国際調査報告】
2004522495.tif 000012
2004522495.tif 000013
2004522495.tif 000014